(57)【要約】【課題】  放熱効果が高く、収納スペースが限られないとともに、製造コストや交換コストの低い遊技機を提供すること。【解決手段】  島設備に固定される固定枠体(1)は、正面側から奥側に向かって形成され、前記分離枠体(2)を前記固定枠体(1)の正面開口内部に支持可能な分離枠体支持手段を有するとともに、前記分離枠体(2)が収納される空間の、少なくとも正面側、背面側、上面側、側面側が開放するように形成され、前記分離枠体(2)は、前記分離枠体支持手段に支持された状態で前記固定枠体(1)に固定手段(70)を介して固定され、前記固定枠体(1)の正面開口から着脱自在に形成されている。    【選択図】    図１
2006068177.tif 000002
【特許請求の範囲】
【請求項１】
遊技場の遊技機設置場所に固定され少なくとも正面側に開口する固定枠体と、
前記固定枠体の正面開口を塞ぐ前扉と、
複数の図柄を変動表示及び停止表示可能な図柄表示手段と、
遊技機の作動を制御するための制御装置と、
前記固定枠体の正面開口に正面側から収納可能であり、少なくとも前記図柄表示手段及び前記制御装置を搭載可能な分離枠体とを少なくとも備える遊技機であって、
前記固定枠体は、正面側から奥側に向かって形成され、前記分離枠体を前記固定枠体の正面開口奥側に支持可能な分離枠体支持手段を有するとともに、前記分離枠体が収納される空間の、少なくとも正面側、背面側、上面側、側面側が開放するように形成され、
前記分離枠体は、前記分離枠体支持手段に支持された状態で前記固定枠体に固定手段を介して固定され、前記固定枠体の正面開口から着脱自在に形成されていることを特徴とする遊技機。
【請求項２】
前記固定枠体は、前記分離枠体支持手段として、高さ方向略中央部に、前記分離枠体を載置可能な載置手段を有し、
前記載置手段の下方には、この載置手段を下方から支持するための下部支持体を有し、
前記載置手段の上方には、前記載置手段の上部空間の少なくとも正面側、背面側、上面側、側面側が開放する上部枠体を有し、
前記分離枠体は、前記載置手段に載置した状態で前記固定枠体に固定手段を介して固定され、前記上部枠体の正面開口から着脱自在に形成されていることを特徴とする請求項１記載の遊技機。
【請求項３】
前記前扉は、前記上部枠体の正面開口を塞ぐ上扉と、前記下部支持体の正面開口を塞ぐ下扉とから成り、
前記下扉は、前記固定枠体に取り付けられ、前記下部支持体の正面開口を開閉自在に形成され、
前記上扉は、前記分離枠体に取り付けられ、前記分離枠体を前記上部枠体の正面開口内部に収納した状態で、前記上部枠体の正面開口を開閉自在であることを特徴とする請求項１又は２記載の遊技機。
【発明の詳細な説明】
【技術分野】
【０００１】
この発明は、図柄表示手段や制御装置を搭載した交換ユニットを、遊技場の島設備に固定される枠体に着脱自在に形成した遊技機に関するものである。
【背景技術】
【０００２】
従来より、資源の有効利用、遊技機交換作業の簡易化及び経費節減の観点から、遊技内容の変更に最低限必要な構成部品のみ交換し、筐体及びその他の構成部品はホールに残したままにしておく分離型スロットマシンが考案されている（特許文献１参照）。この分離型スロットマシンでは、前扉を上扉と下扉に分割し、支持体にリールユニットと制御装置を搭載した交換ユニットに、上扉を取り付けてあり、いわゆる面替えの際には、交換ユニットと上扉とを一体で着脱交換し、筐体及び下前扉はそのまま使用するように形成されている。
一方、スロットマシンは、パチンコ遊技機と同じ遊技場に置かれる場合には、遊技場に筐体をそのまま設置するよりも、いわゆる「島」と呼ばれる遊技機設置場所に固定されることが多い。この際には、筐体を島の取り付け枠に釘などで固定していた。
【特許文献１】特開２００３−４７６８６号公報
【発明の開示】
【発明が解決しようとする課題】
【０００３】
しかし、従来の箱形の筐体を有するスロットマシンにおいては、筐体内部は一種の密閉空間となることから、収納スペースが限られているとともに、リールモータなどの内部装置の発生する熱がこもってしまい、内部装置のトラブルを引き起こすという問題点があった。また、スロットマシンを「島」に取り付ける場合には、筐体は島内部に隠れてしまうので、わざわざ筐体内部に内部装置を密封収納する必要はない。しかも、筐体はかなりの重量があるので、「面替え」の際の交換作業に労力を要する。
そこで、本発明は、かかる問題を解決すべくなされたものであり、放熱効果が高く、収納スペースが限られないとともに、製造コストや交換コストの低い遊技機を提供することを目的とする。
【課題を解決するための手段】
【０００４】
請求項に記載された発明は、上記した目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（特徴点）
（請求項１）
請求項１記載の発明は、次の点を特徴とする。
すなわち、請求項１記載の発明は、遊技場の遊技機設置場所に固定され少なくとも正面側に開口する固定枠体（固定ユニット(1)）と、前記固定枠体(1)の正面開口を塞ぐ前扉(3)と、複数の図柄を変動表示及び停止表示可能な図柄表示手段と、遊技機の作動を制御するための制御装置と、前記固定枠体(1)の正面開口に正面側から収納可能であり、少なくとも前記図柄表示手段及び前記制御装置を搭載可能な分離枠体（交換ユニット(2)）とを少なくとも備える遊技機に係る。また、前記固定枠体(1)は、正面側から奥側に向かって形成され、前記分離枠体(2)を前記固定枠体(1)の正面開口奥側に支持可能な分離枠体支持手段を有するとともに、前記分離枠体(2)が収納される空間の、少なくとも正面側、背面側、上面側、側面側が開放するように形成されている。そして、前記分離枠体(2)は、前記分離枠体支持手段に支持された状態で前記固定枠体(1)に固定手段(70)を介して固定され、前記固定枠体(1)の正面開口から着脱自在に形成されていることを特徴とする。
【０００５】
本発明に係る遊技機は、遊技場に設置される遊技機であって、例えばスロットマシンやそれに類する遊技機に適している。遊技機としては、上記のほかに、遊技媒体としての遊技メダルを貯留すると共に払い出すための払い出し装置（ホッパーユニット５）や、遊技機の主電源や遊技機の設定変更のためのスイッチを有する電源ユニット(4)などを有していてもよい。
ここで、「遊技場の遊技機設置場所」とは、いわゆる「島」のことであり、遊技場内の壁又は隔壁に設けた開口部の上下に取り付け枠(50)を掛け渡し、これに遊技機を設置固定することができるようになっているものである。
【０００６】
またここで、「図柄表示手段」とは、駆動モータにより回転する複数の図柄を表示した回転リール(23)や、液晶表示装置などを含む。また、「制御装置」は、いわゆる基板といわれるものであり、遊技を制御するための遊技制御装置や、遊技に付随する演出等を制御するための演出制御装置を含む。「制御装置」は、制御基板を基板ケースに収納した基板ユニット(24)として構成することができる。
前記固定枠体(1)は、少なくとも正面に開口部を有する枠組みや箱体を含み、側面や背面や上面、あるいはそれらの一部（例えば側面の上方のみ）に開口部があってもよく、側面や背面や上面、あるいはそれらの一部が開放されていてもよい。そして、固定枠体(1)は、上部（例えば横枠(17)）を「島」に設けられた取り付け枠(50)の上梁(51)に、下部（例えば底板(15)）を取り付け枠(50)の下梁(52)に、それぞれ固定することにより、「島」に固定することができるものである。
【０００７】
前記分離枠体(2)は、例えば方形状の金属枠などからなる支持体(21)に少なくとも前記「図柄表示手段」及び「制御装置」を設置したもので、これら以外の構成部品を搭載可能であってもよい。また、分離枠体(2)は、固定枠体(1)に着脱自在に取り付けられている。ここで、「着脱自在」とは、ただ単に取り付け取り外しができるということではなくて、ドライバなどの工具を使わずに、あるいは工具を使用したとしても極めて簡単な作業で、着脱作業が行えることを意味している。従って、分離枠体(2)と固定枠体(1)とを固定する固定手段(70)は、キャッチクリップとフックなどの、前記「着脱自在」を担保するような構成のものである。
【０００８】
前記前扉(3)は、前記図柄表示手段を作動させるためのスイッチ類や、払い出し遊技媒体を貯留するための皿（メダル皿43）などを有していてもよい。前扉(3)は、例えば、固定枠体(1)にヒンジ等を介して水平方向に回動自在に取り付けたものとすることができるが、固定枠体(1)の正面開口を正面側から塞ぐことができる構成であれば、かかる構造に限られない。
そして、本発明においては、前記固定枠体(1)は、正面側から奥側に向かって形成され、前記分離枠体(2)を前記固定枠体(1)の正面開口内部に支持可能な分離枠体支持手段を有するとともに、前記分離枠体(2)が収納される空間の、少なくとも正面側、背面側、上面側、側面側が開放するように形成されている。
【０００９】
ここで、「分離枠体支持手段」には、具体的には、分離枠体(2)を載置可能な載置手段（例えば中板(12)）や、分離枠体(2)を吊り下げ可能かつ前後方向に摺動自在とする吊り下げ部材を含む。またここで、「分離枠体(2)が収納される空間」とは、分離枠体(2)が分離枠体支持手段により支持される、固定枠体(1)の正面よりも奥側の内部空間のことである。そして、その空間の「少なくとも正面側、背面側、上面側、側面側が開放する」とは、例えば箱形の固定枠体(1)に分離枠体(2)を分離枠体支持手段で支持させて適位置に設置したときに、分離枠体(2)の正面側、背面側、上面側、側面側となる部分に開口部が設けられていることや、方形状の枠組みからなる固定枠体(1)の内部に、分離枠体(2)が載置もしくは吊り下げられていることを含むものである。なお、分離枠体(2)の底面側は、開放されていてもよいし開放されていなくともよい。
【００１０】
（作用）
本発明においては、前記枠体(1)を「島」に固定した上、前記分離枠体(2)を前記分離枠体支持手段で支持させ、固定枠体(1)の正面開口から押入し、適位置に設置したところで固定手段(70)により固定枠体(1)に固定する。そして、前扉(3)で固定枠体(1)の正面開口を塞ぐことにより、分離枠体(2)を島設備外部から遮蔽することができる。一方、固定枠体(1)の内部のうち少なくとも分離枠体(2)の周囲は、開口部又は開放空間となっており、島設備内部においては、分離枠体(2)は露出している（密閉状態の中にない）ので、放熱効果が高い。また、分離枠体(2)の側面側、背面側、上面側が開放しているので、側面側に台間機が設置されるとしても、さらにその内側を筐体の壁面に囲われた空間に比べれば、スペースを気にせずに内部装置の配置及び設置を行うことができる。
【００１１】
（請求項２）
請求項２記載の発明は、上記した請求項１記載の特徴点に加え、次の点を特徴とする。
すなわち、請求項２記載の発明は、前記固定枠体(1)は、前記分離枠体支持手段として、前記分離枠体(2)を載置可能な載置手段（中板(12)）を有し、前記載置手段(12)の下方には、この載置手段(12)を下方から支持するための下部支持体（下箱(11)）を有し、前記載置手段(12)の上方には、前記載置手段(12)の上部空間の少なくとも正面側、背面側、上面側、側面側が開放する上部枠体(10)を有している。そして、前記分離枠体(2)は、前記載置手段(12)に載置した状態で前記固定枠体(1)に固定手段(70)を介して固定され、前記上部枠体(10)の正面開口（開口上部(13)）から着脱自在に形成されていることを特徴とする。
【００１２】
本発明は、分離枠体(2)を固定枠体(1)の上部開口に載置して収納するように形成したものである。ここで、載置手段(12)は、前記分離枠体(2)を固定枠体(1)の開口部内に支持するためのものであり、固定枠体(1)の正面開口を上下に仕切り正面側から奥側に向かって設けられた板部材（中板(12)）や、分離枠体(2)の底部両端を下側から支持するレール部材とすることができる。上部枠体(10)は、前記載置手段(12)の上方空間の、少なくとも正面、背面、上面、左右の側面に開口部を有する枠体や、載置手段(12)の正面側に形成された二本の縦枠(16)及び横枠(17)からなる正面視門型の枠組みを含む。なお、載置手段(12)の上方空間のうち、底面側は、載置手段(12)が板材の場合には開放されないが、載置手段(12)をガイドレールとした場合には開放されるものとなる。下部支持体(11)は、載置手段(12)を下方から支持する枠組み又は箱体を含む。下部支持体(11)を箱形とした場合には、下部支持体(11)の上板が載置手段(12)となる。またこの場合、下部支持体(11)の側板(18)や裏板に、通気開口(11A)を設けてもよい。上部枠体(10)、下部支持体(11)、載置手段(12)は、一体的に形成されていてもよいし、各部材を組み立てて固定枠体(1)が形成されるようになっていてもよい。
【００１３】
（請求項３）
請求項３記載の発明は、上記した請求項１又は２記載の特徴点に加え、次の点を特徴とする。
すなわち、請求項２記載の発明は、前記前扉(3)は、前記上部枠体(10)の正面開口（開口上部(13)）を塞ぐ上扉(30)と、前記下部支持体(11)の正面開口（開口下部(14)）を塞ぐ下扉(40)とから成り、前記下扉(40)は、前記固定枠体(1)に取り付けられ、前記下部支持体(11)の正面開口（開口下部(14)）を開閉自在に形成され、前記上扉(30)は、前記分離枠体(2)に取り付けられ、前記分離枠体(2)を前記上部枠体(10)の正面開口（開口上部(13)）内部に収納した状態で、前記上部枠体(10)の正面開口(13)を開閉自在であることを特徴とする。
【００１４】
本発明は、前扉(3)を上下に二分割し、上扉(30)と分離枠体(2)を一体的に取り扱い可能としたものである。前記上扉(30)及び下扉(40)は、前記分離枠体(2)又は下部支持体(11)に固定されていてもよいし、着脱自在に取り付けられていてもよい。
（作用）
本発明によれば、上扉(30)には遊技内容の変更に伴い変更する必要のある部品（例えば遊技内容の説明や遊技機の特徴を表す表示部）を取り付け、下扉(40)には遊技内容の変更に伴い必ずしも交換する必要のない部品（操作スイッチなど）を取り付けておくことにより、「面替え」の際に最低限交換が必要な部材のみ交換できる。また、分離枠体(2)と上扉(30)を同時に交換でき、交換作業も効率的に行うことができ、交換にかかる経費削減にも役立つ。
【発明の効果】
【００１５】
本発明は、以上のように構成されているので、放熱効果が高く、収納スペースが限られないとともに、製造コストや交換コストの低い遊技機を提供することができる。
【発明を実施するための最良の形態】
【００１６】
本発明を実施するための最良の形態を、遊技機としてスロットマシンを例に、図面に基づき説明する。
（図面の説明）
図１乃至図４は、本発明の実施の形態を示すものである。
図１及び図２はスロットマシンの分解斜視図、図３は島設備に組み付けたスロットマシンの縦断面図、図４はスロットマシン島の外観正面図である。
遊技場においてスロットマシン島は、図４に示すように、メダル貸出機などの台間機Ｄが所定間隔を開けて取り付け枠50に固定されており、二つの台間機Ｄの間に、本実施の形態におけるスロットマシンＳが設置固定されるようになっている。島の内部には、特に図示しないが、各スロットマシンＳにメダルを供給したりホッパーユニット５から溢れたメダルを吸引するためのメダル循環装置などが内装されている。
【００１７】
そして、スロットマシンＳは、図１に示すように、大きく分けて、正面側に開口する固定ユニット１、固定ユニット１に着脱自在に設けられた交換ユニット２、固定ユニット１の開口を開閉可能に塞ぐ前扉３とから構成されている。そして、この前扉３は、固定ユニット１の開口上部13を開閉自在に塞ぐ上扉30、固定ユニット１の開口下部14を開閉自在に塞ぐ下扉40とに分割されている。
（固定ユニット１）
固定ユニット１は、図１に示すように、上枠10と、下箱11とからなる。下箱11は、正面側に開口する箱体であり、上枠10は、下箱11の正面上方に形成された枠体である。そして、下箱11の上板は、スロットマシンＳの正面開口を開口上部13と開口下部14に分ける中板12として構成されている。
【００１８】
上枠10は、図１に示すように、縦枠16,16'及び横枠17からなる門型の枠体であり、縦枠16,16'及び横枠17及び中板12に囲まれた部分が、スロットマシンＳの開口上部13となる。また、縦枠16,16'の奥行きの長さは、固定ユニット１を島設備に取り付けたとき、側面に隙間が生じない程度の長さに形成されている。すなわち、横枠17を島設備の取り付け枠50の所定位置に固定したとき、固定ユニット１のうちの、隣接して設置される台間機や隣り合うスロットマシンどうしの隙間を塞ぐための塞ぎ板より前方に突出する部分について、側面側から異物を挿入したりできないようにしてある。
なお、図示した例では、上枠10と下箱11が一体的に形成されているようになっているが、上枠10と下箱11は別部材であってもよい。
【００１９】
そして、縦枠16,16'の上部には、交換ユニット２を固定するための固定装置70がそれぞれ設けられている。固定装置70は、交換ユニット２の支持体21に設けられたフックと係合可能なキャッチクリップとすることができる。なお、固定装置70は、交換ユニット２を開口上部13内に固定できればよく、縦枠16,16'以外の場所、例えば中板12に設けてもよい。
下箱11は、図１に示すように、中板12としての上板、底板15、側板18,18'及び背板を有し、正面側の開口が、スロットマシンＳの開口下部14となる。下箱11には、図１及び図３に示すように、側板18,18'及び背板には、内部に熱がこもらないようにするための通気開口11Aが形成されている。なお、この通気開口11Aは、固定ユニット１を島設備に固定したとき台間機や塞ぎ板より前方に突出する部分の、側面側に隙間が生じないような位置及び大きさに形成されている。また、前記中板12の下面には電源ユニット４が取り付けられているとともに、底板15の上面には、ホッパーユニット５が設置されている。そして、下箱11の左側の側板18には、下扉40を係合させ、回転自在に支持するための下扉用ヒンジ19が、上下方向に間隔をおいて二つ設けられている。
【００２０】
なお、図示した例では、下箱11の上板が中板12を兼ねるようになっているが、中板12を別部材とし、正面及び上面が開口する下箱11が中板12を下方から支持する構成としても構わない。
ここで、電源ユニット４は、特に図示しないが電源装置が内装されていると共に、ホール管理者が種々の設定を行うためのスイッチ等を有している。ホッパーユニット５は、遊技メダルを貯留すると共に払い出すためのものである。電源ユニット４及びホッパーユニット５は、いわゆる「面替え」に際し、必ずしも交換する必要のないものであり、遊技機交換時には設置されたままにしておけるようになっているものである。
【００２１】
（交換ユニット２）
交換ユニット２は、方形状の金属枠からなる支持体21と、この支持体21に固定されたリールユニット20及び基板ユニット24とから形成されている。
ここで、支持体21は、リールユニット20及び基板ユニット24を固定ユニット１に着脱自在に固定するとともに、これらを一体的に取り扱い可能とするものである。また、支持体21の左側の前方縦枠には、上扉30を係合させ、回転自在に支持するための上扉用ヒンジ22が、上下方向に間隔をおいて二つ設けられている。
リールユニット20は、支持板に固定された３個の駆動モータ（図示せず）と、この駆動モータにそれぞれ軸着され、周囲に複数の図柄を表示した３個の回転リール23を有している。また、基板ユニット24は、ＣＰＵ、ＲＯＭ、ＲＡＭなどを有する制御基板を基板ケース内に収納したものであり、スロットマシンＳの制御装置として機能する。基板ユニット24には、主として遊技を制御するためのメイン基板と、遊技に付随する演出などを制御するためのサブ基板が設けられている。
【００２２】
なお、支持体21に搭載するのは、少なくともメイン基板であればよい。すなわち、メイン基板を変更することにより、スロットマシンＳの遊技内容が変更されるもので、基板ユニット24を回転リール23と一体で交換することにより、スロットマシンＳを新しい機種に交換したのと同様に扱えるものである。
前記支持体21は、他の構成部品を固定設置可能であってもかまわない。例えば、スロットマシンＳの遊技設定を変更するための設定変更スイッチや、ボリューム調整をするためのスイッチが設けられたスイッチユニットを固定してあってもよい。また、支持体21は、金属枠に限られず、樹脂やカーボン等、適宜の素材により形成された枠体であればよい。
【００２３】
交換ユニット２は、上扉30を取り付けた状態で、固定ユニット１の中板12の上に乗せ、開口上部13内部に収納されるものである。そして、固定装置70により、固定ユニット１に固定される。
（上扉30）
上扉30は、交換ユニット２の支持体21に回転自在かつロック可能に形成されている板状の扉であり、略中央部に前記回転リール23の図柄を正面側から見ることができる図柄表示窓31を有し、周囲に飾り部33を設けてある。そして、種々の表示を行うための表示装置32が設けられているものである。
【００２４】
ここで、前記飾り部33は、ランプ等により形成してもよく、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
さらに、図２に示すように、上扉30の裏面には、前記上扉用ヒンジ22に係合可能な上扉係合部36が上下方向に間隔をおいて二つ設けられており、上扉係合部36の対向側には、ロック機構７が設けられている。
ここで、前記ロック機構７は、上扉30側に設けられた係止片が、特に図示しないが、固定ユニット１の反ヒンジ側の縦枠16'内側面に設けられた凸部に係止され、扉を閉めると自動的にロックされ、解錠手段によりロックが解除さるように形成されている。そして、交換ユニット２を固定ユニット１に収納し固定した状態で上扉30を閉めると、固定ユニット１の開口上部13を塞ぐことができ、同時にロックされて開口上部13を施錠することができるものである。さらに、上扉30のロック機構７は扉外側から解錠することができず、下扉40が開いているときにロック解除可能となっている。
【００２５】
なお、上扉30は、前記交換ユニット２に着脱自在に取り付けられていてもよいし、固定されていてもよい。
（下扉40）
下扉40は、固定ユニット１の開口下部14を塞ぐための、上扉30よりも幅厚の扉であり、固定ユニット１の下箱11の側板18に回転自在かつロック可能に形成されているものである。
図１に示すように、下扉40の上部は、スロットマシンＳを作動させるための操作部41となっており、下扉40の上面は、扉を閉じた時においては、上扉30よりも前側に突出するようになっている。前記操作部41としては、下扉40の上面右端に形成された段部にメダル投入口42、上面左側に設けられたベットスイッチ及び精算スイッチ、正面側にはスタートスイッチ及びストップスイッチが設けられている。なお、スタートスイッチ及びストップスイッチは、回転リール23の回転を開始及び停止させるためのものである。ベットスイッチは、貯留メダルをメダル投入に代えるためのものである。
【００２６】
また、下扉40の下部には、ホッパーユニット５から払い出されたメダルを貯めておくためのメダル皿43が取り付けられており、このメダル皿43に払い出しメダルを排出するメダル排出口が形成されている。前記操作部41とメダル皿43の間には、下パネルユニットが着脱自在に取り付けられている。なお、下パネルユニットは、枠体に表示パネルを嵌め込んだものであり、特に図示しないが、枠体の裏面に下扉40に設けられた取り付け溝に係合可能なフック状の係合部を有していて、下扉40の裏面側から係合を解除して取り外せるようになっている。
さらに、図２に示すように、下扉40の裏面側には、前記メダル投入口42から投入されたメダルを誘導しながらメダルの真贋を判断するためのメダルセレクター45が設けられている。また、下扉40の裏面において右側端部には、下扉用ヒンジ19と係合可能な下扉係合部46が上下方向に間隔をおいて二つ設けられており、下扉係合部46の対向側端部には、ロック機構７が設けられている。このロック機構７は、上扉30のロック機構７と基本的構造は同じであるが、下扉40の正面側側端部に設けられた鍵穴に所定の鍵を差し込んで回すと、ロックが解除されるようになっている。
【００２７】
下扉40は、固定ユニット１に着脱自在に取り付けられていてもよいし、固定されていてもよい。下扉40を着脱自在にした場合でも、操作部41やメダルセレクター45などは遊技内容の変更の度に変更する必要がないので、遊技台交換の際には固定ユニット１に据え置いたままにしておくことができる。正面デザインを変更する必要がある場合には、下パネルのみ交換すればよい。固定ユニット１に固定されている場合には、固定ユニット１の交換と同時に交換することとなる。
（スロットマシンＳの交換）
上記構成を有するスロットマシンＳについて、固定ユニット１の島設備への取り付け及び交換ユニット２の交換について説明する。
【００２８】
固定ユニット１は、図３に示すように、島設備の取り付け枠50に釘60により固定されるものである。すなわち、下側から釘60を打ち付けて横枠17を上桟51に固定し、上側から釘60を打ち付けて底板15を下桟52に固定することにより、固定ユニット１を取り付け枠50に固定する。すなわち、固定ユニット１は、遊技台交換の度に交換する必要はなく、島設備に据え置いたままとなる。
そして、固定ユニット１を二つの台間機Ｄの間に固定した状態では、固定ユニット１の周囲に隙間は無く、このように島設備に取り付いた固定ユニット１に交換ユニット２を収納固定し、前扉３を閉めると、リールユニット20や基板ユニット24、ホッパーユニット５などの内部装置は、島設備の外側から遮蔽される。換言すれば、固定ユニット１の正面より奥側は島設備内に収納される形となり、島設備の外には露出しない。一方島設備内においては、リールユニット20や基板ユニット24が露出しているため、モータなどから発生する熱が内部にこもることがない。
【００２９】
遊技台交換の際には、上扉30及び交換ユニット２のみを取り替えることにより、いわゆる「面替え」ができる。すなわち、下扉40を解錠してから上扉30のロックを解除し、上扉30を開いて固定装置70を外す。しかる後、上扉30を取り付けたままの交換ユニット２を、固定ユニット１から手前側に引き抜いて取り出し、新たな上扉30の取り付いた新たな交換ユニット２を固定ユニット１に取り付ければよい。下扉40については、下パネルユニットを交換するだけでよい。下扉40の装着部品、例えばスイッチ類などが破損した場合には、下扉40のみを固定ユニット１から取り外して新しいものと取り替えることができる。
なお、固定ユニット１に内装されている電源ユニット４やホッパーユニット５を交換する場合には、固定ユニット１を島設備から取り外してもよいし、電源ユニット４やホッパーユニット５を固定ユニット１から取り外すようにしてもよい。
【００３０】
このように、本実施の形態では、従来のスロットマシンが有していた「筐体」の概念を無くし、交換ユニット２やその他の内部装置を島設備に設置固定するための、上枠10及び通気開口11Aを有する下箱11からなる固定ユニット１を設けてある。この固定ユニット１を島設備に設置固定した場合、島設備内に収納される内部装置の放熱効果が高く、加熱によるトラブルを防ぐことができるとともに、開口上部13の奥側は開放空間であることから収納スペースも広くとれる。また、メダル循環装置の吸引、供給ダクトをホッパーユニット５に配置するために筐体に穴を開けたりする必要がなく、固定ユニット１は枠材により形成されているので、全体が箱形の筐体に比べ原材料も少なくて済む。従って、従来の筐体を有するスロットマシンよりも低コストで提供できるものである。
【００３１】
なお、本実施の形態では、交換ユニット２を乗せる載置手段として中板12を設けてあったが、載置手段は中板12に限られない。例えば、特に図示しないが、下部枠体を、底板15の四隅から上方に向けてアングル材などの縦枠が設けられた形状とする。そして、この縦枠の手前側から奥側に延設されたＬ字又はコ字型の支持レールを設け、この支持レールに交換ユニット２を乗せるようにしてもよい。
また、本実施の形態では、請求項に記載の「下部支持体」として、箱状の下箱11を設けたが、下部支持体としては、箱体ではなく、枠材を方形に組み立てた枠体であってもよい。底板15も必ずしも板でなくともよく、下部横枠に枠材やプレートを掛け渡したものであってもよい。また、「下部支持体」を枠材で形成した場合、図５（Ａ）に示すように、後ろ縦枠を設けずに、中板12やガイドレールなどの載置手段を、前枠に固定された斜め梁や支持板で支持する構成としてもよい。要は、載置手段や下扉40や中板12や電源ユニット４やホッパーユニット５を支持可能であればよい。
【００３２】
さらに、請求項に記載の「上部枠体」として、門型の上枠10を設けたが、上部枠体としてはこのような形状のものに限られず、例えば枠材を方形に組み立てた枠体や、前枠（縦枠16及び横枠17）の後方に梁を設けたものであってもよい。要は、交換ユニット２の収納される空間の、少なくとも正面側、背面側、上面側、左右の側面側が開放されていればよい。また、固定ユニット１は、全体として枠材を方形に組み立てた枠体であってもよく、交換ユニット２は、図５（Ｂ）に示すように、固定ユニット１の内部に吊り下げ部材（上部枠に前後方向に形成されたガイドレール）を介して吊り下げ固定されるように形成されていてもよい。
【００３３】
本発明は、スロットマシン以外の遊技機にも応用できる。例えば、遊技メダルの代わりにパチンコ球などの遊技球を用いて、スロットマシンと同様の遊技を行わせるパロット遊技機にも応用できる。また、図柄表示手段として、液晶表示装置や、ベルト式図柄表示装置を、リールユニット20の代わりに取り付けるようにしてもよい。
【図面の簡単な説明】
【００３４】
【図１】本発明の実施の形態であって、スロットマシンの分解斜視図である。
【図２】本発明の実施の形態であって、前扉を開けたスロットマシンの斜視図である。
【図３】本発明の実施の形態であって、島設備に組み付けたスロットマシンの縦断面図である。
【図４】本発明の実施の形態であって、スロットマシン島の外観正面図である。
【図５】本発明の他の実施の形態であって、固定ユニットを示す概略斜視図である。
【符号の説明】
【００３５】
Ｓ  スロットマシン
１  固定ユニット（固定枠体）        ２  交換ユニット（分離枠体）
３  前扉                            ４  電源ユニット
５  ホッパーユニット                ７  ロック機構
10  上枠（上部枠体）                11  下箱（下部支持体）
12  中板（分離枠体支持手段,載置手段）13  上部開口
14  下部開口                        15  底板
16  縦枠                            17  横枠
18  側板                            19  下扉用ヒンジ
20  リールユニット                  21  支持体
22  上扉用ヒンジ                    23  回転リール
24  基板ユニット
30  上扉                            31  図柄表示窓
32  表示装置                        33  飾り部
35  スピーカ                        36  上扉係合部
40  下扉                            41  操作部
42  メダル投入口                    43  メダル皿
44  鍵穴                            45  メダルセレクター
46  下扉係合部
50  取り付け枠                      51  上桟
52  下桟
60  釘                              70  固定手段
【図１】
2006068177.tif 000003
【図２】
2006068177.tif 000004
【図３】
2006068177.tif 000005
【図４】
2006068177.tif 000006
【図５】
2006068177.tif 000007